(57)【要約】【課題】　複数個の音響機器から出力されるサウンド信号を混合して同時に出力されるようにし、多重又は選択的に出力することができるようにする多重選択機能を有する音響装置を提供する。【解決手段】　オーディオ信号を発生するオーディオ信号発生部と、サウンド信号を外部音響機器のサウンド信号入力端に出力し、前記外部音響機器のサウンド信号出力端から出力されるサウンド信号の経路制御を行うサウンド信号制御部と、前記オーディオ信号発生部から入力されるオーディオ信号と、前記サウンド信号制御部を介して入力されるサウンド信号を混合して混合サウンド信号を形成する混合部と、前記混合部から入力される混合サウンド信号を増幅するオーディオ増幅部と、前記オーディオ増幅部によって増幅された混合サウンド信号を出力する出力部を含む。【選択図】　図２
2004104806.tif 000002
【特許請求の範囲】
【請求項１】
　多重選択機能を有する音響装置であって、
　オーディオ信号を発生するオーディオ信号発生部と、
　サウンド信号を外部音響機器のサウンド信号入力端に出力し、前記外部音響機器のサウンド信号出力端から出力されるサウンド信号の経路制御を行うサウンド信号制御部と、
　前記オーディオ信号発生部から入力されるオーディオ信号と、前記サウンド信号制御部を介して入力されるサウンド信号を混合して混合サウンド信号を形成する混合部と、
　前記混合部から入力される混合サウンド信号を増幅するオーディオ増幅部と、
　前記オーディオ増幅部によって増幅された混合サウンド信号を出力する出力部と、
　を備えることを特徴とする多重選択機能を有する音響装置。
【請求項２】
　前記オーディオ信号発生部は、
　ラジオ信号を受信してオーディオ信号を生成するラジオ受信部、又はメディアを再生してオーディオ信号を生成するメディア再生部、のうち少なくとも何れか一つを含むことを特徴とする請求項１に記載の多重選択機能を有する音響装置。
【請求項３】
　前記外部音響機器のサウンド信号出力端から出力されるサウンド信号は、
前記外部音響機器で信号の大きさが増幅された信号であることを特徴とする請求項１に記載の多重選択機能を有する音響装置。
【請求項４】
　前記外部音響機器は、 
移動通信端末機であることを特徴とする請求項１に記載の多重選択機能を有する音響装置。
【請求項５】
　前記サウンド信号制御部は、
　一端が前記外部音響機器のサウンド信号入力端に接続され、他の一端は接地に接続されており、音声をサウンド信号に変換して前記外部音響機器のサウンド信号入力端に出力するマイク部と、 
　一端が前記外部音響機器のサウンド信号入力端に接続され、他の一端は接地に接続されており、前記外部音響機器の動作状態を通話モード又は通話待機モードにスイチングする通話モード切替スイッチと、
　前記外部音響機器のサウンド信号出力端から入力されるサウンド信号を前記混合部、或いは秘密通話出力部にスイチングする秘密通話スイッチと、
　を含むことを特徴とする請求項４に記載の多重選択機能を有する音響装置。
【請求項６】
　前記通話モード切替スイッチは、
　タクトスイッチであることを特徴とする請求項５に記載の多重選択機能を有する音響装置。
【請求項７】
　前記マイク部は、 
　一端が前記外部音響機器のサウンド信号入力端に接続される抵抗と、
　一端が前記抵抗に直列接続され、他の一端が接地に接続されており、音声をサウンド信号に変換するマイクを含むことを特徴とする請求項５に記載の多重選択機能を有する音響装置。
【請求項８】
　前記抵抗は、 
可変抵抗であることを特徴とする請求項７に記載の多重選択機能を有する音響装置。
【請求項９】
　前記マイク部は、 
　アノードが前記抵抗の前記他の一端に直列接続され、カソードが前記マイクの前記一端に直列接続されるダイオードをさらに含むことを特徴とする請求項７に記載の多重選択機能を有する音響装置。
【請求項１０】
　前記マイク部は、 
　アノードが前記外部音響機器のサウンド信号入力端に接続され、カソードが前記抵抗の前記一端に直列接続されるダイオードをさらに含むことを特徴とする請求項７に記載の多重選択機能を有する音響装置。
【請求項１１】
　前記混合部は、
左側混合部及び右側混合部からなることを特徴とする請求項５に記載の多重選択機能を有する音響装置。
【請求項１２】
　前記サウンド信号制御部は、
　一端が前記秘密通話スイッチに接続され、他端は前記左側混合部及び右側混合部に接続されており、前記外部音響機器のサウンド信号出力端から出力されるサウンド信号を、左側混合部及び右側混合部の中で少なくとも何れかの一つにスイチングする多重選択スイッチをさらに含むことを特徴とする請求項１１に記載の多重選択機能を有する音響装置。
【請求項１３】
　前記秘密通話スイッチと前記多重選択スイッチは一つのスイッチに統合され、 
　スイッチが秘密通話にスイチングされる場合には、前記外部音響機器のサウンド信号出力端から出力されるサウンド信号を、前記秘密通話出力部を通して出力することで秘密通話スイッチとして使われるようにし、
　スイッチが秘密通話にスイチングされない場合には、前記移動通信端末機のサウンド信号出力端から出力されるサウンド信号を、左側混合部及び右側混合部の中で少なくとも何れかの一つにスイチングされるように多重選択スイッチとして使われるようにすることを特徴とする請求項１２に記載の多重選択機能を有する音響装置。
【請求項１４】
　前記サウンド信号制御部は、
　一端が前記外部音響機器のサウンド信号入力端に接続され、他の一端が前記マイク部、又は前記左側混合部及び右側混合部の中で何れかの一つに選択的にスイチングされるハンズフリーフォン及びサウンドリンカー選択スイッチをさらに含むことを特徴とする請求項１１に記載の多重選択機能を有する音響装置。
【請求項１５】
　前記ハンズフリーフォン及びサウンドリンカー選択スイッチが前記左側混合部及び右側混合部の中で何れかの一つにスイチングされて、前記外部音響機器のサウンド信号入力端が前記左側混合部及び右側混合部の中で何れかの一つに接続される場合、 
　前記外部音響機器は外部オーディオ機器であることを特徴とする請求項１４に記載の多重選択機能を有する音響装置。
【請求項１６】
　前記通話モード切替スイッチは、
　前記外部音響機器が通話待機モードである状態で通話モード切替スイッチをスイチングして、予め設定された回数のスイチング信号が所定の時間内に連続的に前記外部音響機器に入力される場合、
　前記外部音響機器の動作状態を通話待機モードから再発信モードにスイチングすることを特徴とする請求項５に記載の多重選択機能を有する音響装置。
【請求項１７】
　音響機器と移動通信端末機を接続して制御するサウンド信号制御装置であって、 
　一端が移動通信端末機のサウンド信号入力端に接続され、他の一端は接地に接続されており、音声をサウンド信号に変換して前記移動通信端末機のサウンド信号入力端に出力するマイク部と、 
　一端が移動通信端末機のサウンド信号入力端に接続され、他の一端は接地に接続されており、前記移動通信端末機の動作状態を通話モード又は通話待機モードにスイチングする通話モード切替スイッチと、
　前記移動通信端末機のサウンド信号出力端から入力されるサウンド信号を前記音響機器の混合部、或いは秘密通話出力部にスイチングする秘密通話スイッチと、
　を含むことを特徴とするサウンド信号制御装置。
【請求項１８】
　前記通話モード切替スイッチは、
　タクトスイッチであることを特徴とする請求項１７に記載のサウンド信号制御装置。
【請求項１９】
　前記マイク部は、 
　一端が前記移動通信端末機のサウンド信号入力端に接続される抵抗と、
　一端が前記抵抗に直列接続され、他の一端が接地に接続されており、音声をサウンド信号に変換するマイクと、を含むことを特徴とする請求項１７に記載のサウンド信号制御装置。
【請求項２０】
　前記抵抗は、 
　可変抵抗であることを特徴とする請求項１９に記載のサウンド信号制御装置。
【請求項２１】
　前記マイク部は、 
　アノードが前記抵抗の前記他の一端に直列接続され、カソードが前記マイクの前記一端に直列接続されるダイオードをさらに含むことを特徴とする請求項１９に記載のサウンド信号制御装置。
【請求項２２】
　前記マイク部は、
　アノードが前記移動通信端末機のサウンド信号入力端に接続され、カソードが前記抵抗の前記一端に直列接続されるダイオードをさらに含むことを特徴とする請求項１９に記載のサウンド信号制御装置。
【請求項２３】
　前記音響機器の混合部は、左側混合部及び右側混合部からり、
　一端が前記秘密通話スイッチに接続され、他端は前記左側混合部及び右側混合部に接続されており、前記移動通信端末機のサウンド信号出力端から出力されたサウンド信号を前記左側混合部及び右側混合部の中で少なくとも何れかの一つにスイチングする多重選択スイッチをさらに含むことを特徴とする請求項１７に記載のサウンド信号制御装置。
【請求項２４】
　前記秘密通話スイッチと前記多重選択スイッチは一つのスイッチに統合され、
スイッチが秘密通話にスイチングされる場合には、前記移動通信端末機のサウンド信号出力端から出力されるサウンド信号を、前記秘密通話出力部を通して出力することで秘密通話スイッチとして使われるようにし、
　スイッチが秘密通話にスイチングされない場合には、前記移動通信端末機のサウンド信号出力端から出力されるサウンド信号を、左側混合部及び右側混合部の中で少なくとも何れかの一つにスイチングされるように多重選択スイッチとして使われるようにすることを特徴とする請求項２３に記載のサウンド信号制御装置。
【請求項２５】
　一端が前記移動通信端末機のサウンド信号入力端に接続され、他の一端が前記マイク部、又は前記左側混合部及び右側混合部の中で何れかの一つに選択的にスイチングされるハンズフリーフォン及びサウンドリンカー選択スイッチをさらに含むことを特徴とする請求項２３に記載のサウンド信号制御装置。
【請求項２６】
　前記ハンズフリーフォン及びサウンドリンカー選択スイッチが前記左側混合部及び右側混合部の中で何れかの一つにスイチングされて、前記移動通信端末機のサウンド信号入力端が前記左側混合部及び右側混合部の中で何れかの一つに接続される場合、 
　外部オーディオ機器が前記移動通信端末機の替わりに適用されることを特徴とする請求項２５に記載のサウンド信号制御装置。
【請求項２７】
　前記通話モード切替スイッチは、
　前記移動通信端末機が通話待機モードである状態で通話モード切替スイッチをスイチングして、予め設定された回数のスイチング信号が所定の時間内に連続的に前記移動通信端末機に入力される場合、
　前記移動通信端末機の動作状態を通話待機モードから再発信モードにスイチングすることを特徴とする請求項１７に記載のサウンド信号制御装置。
【発明の詳細な説明】
【技術分野】
【０００１】
　本発明は多重選択機能を有する音響装置、及びサウンド信号制御装置に係り、より詳しくは複数個の音響機器から出力されるサウンド信号を混合して同時に出力されるようにし、多重又は選択的に出力することができるように制御する多重選択機能を有する音響装置、及びサウンド信号制御装置に関する。
【背景技術】
【０００２】
　最近、運転中の車内での移動通信端末機の使用に対する規制が強化されることによってハンズフリーフォンの使用が急増している。このようなハンズフリーフォンは車内部の一側に附着する外装型と内部に装着される内蔵型がある。内蔵型ハンズフリーフォンは既存の外装型ハンズフリーフォンの構成部品の中で、スピーカーを除いた一体型を自動車の組み立て工程において自動車内部に固定附着し、スピーカーは車用オーディオのスピーカーに接続して使うことが一般的である。 
【０００３】
　図1は従来の車用オーディオ装置を利用した内蔵型ハンズフリーフォン装置の概略的な構成を示すブロック図である。
【０００４】
　図1に示したように、従来の内蔵型ハンズフリーフォン装置は、オーディオ増幅器(122)及びスピーカー(110)を備えた車用オーディオ装置(104)にマイク(108)と電話インタフェース(114)を追加すると共に、通常のハンズフリーフォンキットと接続するために移動通信端末機(100)に備えられたインタフェースコネクター(図示せず)と電話インタフェース(114)をアダプダケーブル(102)によって接続して構成する。
【０００５】
　図1を参照すれば、オーディオスイッチ(116)は、スイチング制御部(124)によってスイチングされて、メディア再生部(118)、ラジオ受信部(120)、及び電話インタフェース(114)のオーディオ送信端の何れかの一つから出力されるオーディオ信号をオーディオ増幅器(122)に選択的に印加する。オーディオ増幅器(122)はオーディオスイッチ(116)を介して印加されるオーディオ信号を増幅してスピーカー(110)を通して出力する。
【０００６】
　上記したスイチング制御部(124)は、メディア再生部(118)、ラジオ受信部(120)、オーディオ増幅器(122)、及び移動通信端末機(100)の中で使われる部分に対応されるように電源スイッチ(128)とオーディオスイッチ(116)をスイチングする。即ち、メディア再生部(118)が使われる場合には、メディア再生部(118)とオーディオ増幅器(122)に電源部(126)の電源を供給すると共に、メディア再生部(118)から出力されるオーディオ信号をオーディオ増幅器(122)に印加する。これによってメディア再生部(118)で再生されたオーディオ信号によるオーディオがスピーカー(110)を通して出力される。ラジオ受信部(120)が使われる場合には、ラジオ受信部(120)とオーディオ増幅器(122)に電源部(126)の電源を供給すると共に、ラジオ受信部(120)から出力されるオーディオ信号をオーディオ増幅器(122)に印加する。これによってラジオ受信部(120)によって受信されたオーディオ信号によるオーディオがスピーカー(110)を通して出力される。そして、移動通信端末機(100)が使われる場合には、電話インタフェース(114)とオーディオ増幅器(122)に電源部(126)の電源を供給すると共に、移動通信端末機(100)から電話インタフェース(114)介して出力されるオーディオ信号をオーディオ増幅器(122)に印加する。これによって移動通信端末機(100)によって受信された信号によるオーディオがスピーカー(110)を通して出力される。
【発明の開示】
【発明が解決しようとする課題】
【０００７】
　しかしながら、このような従来の内蔵型ハンズフリーフォン装置による場合には、ラジオやメディア再生部から出力されるオーディオ信号と移動通信端末機を通して出力される信号の中で何れかの一つだけが選択的に出力されるので、移動通信端末機の信号が出力される間には、オーディオ信号による音楽、ニュース等を聞くことができなくなるという問題点がある。また、オーディオスイッチ及びスイッチ制御部の構成が別に加えられなければならないので製造費が高くなるという短所がある。
【０００８】
　従って、このような従来の内蔵型ハンズフリーフォンの不合理な点を乗り越えてメディア再生部又はラジオ受信部のオーディオ信号と、移動通信端末機の信号を多重又は選択受信することが可能なサウンド信号制御装置に対する要求が高くなっている。
【０００９】
　本発明は、上記のような問題点を解決するためのものであって、複数個の音響機器から出力されるサウンド信号を混合して同時に出力されるようにすることで、相対的に微弱な信号が殆ど聞こえなくなるミュート現象が生じて、信号レベルが高いサウンド信号だけ聞こえることができる多重選択機能を有する音響装置、及びサウンド信号制御装置を提供する。
【００１０】
　また、本発明は複数個の音響機器から出力されるサウンド信号を多重又は選択的に出力することができる多重選択機能を有する音響装置、及びサウンド信号制御装置を提供する。
【課題を解決するための手段】
【００１１】
　前記の目的を達成するための本発明は、多重選択機能を有する音響装置であって、オーディオ信号を発生するオーディオ信号発生部と、サウンド信号を外部音響機器のサウンド信号入力端に出力し、前記外部音響機器のサウンド信号出力端から出力されるサウンド信号の経路制御を行うサウンド信号制御部と、前記オーディオ信号発生部から入力されるオーディオ信号と、前記サウンド信号制御部を介して入力されるサウンド信号を混合して混合サウンド信号を形成する混合部、前記混合部から入力される混合サウンド信号を増幅するオーディオ増幅部と、前記オーディオ増幅部によって増幅された混合サウンド信号を出力する出力部を含んで構成される。
【００１２】
　本発明によれば、複数個の音響機器から出力されるサウンド信号を混合して同時に出力されるようにすることで、相対的に微弱な信号が殆ど聞こえなくなるミュート現象が生じて、信号レベルが高いサウンド信号だけ聞こえるようにすることができる多重選択機能を有する音響装置が提供される。また、本発明によれば、複数個の音響機器から出力されるサウンド信号を多重又は選択的に出力することができるようにする多重選択機能を有する音響装置が提供される。 
【００１３】
また、前記の目的を達成するための本発明は、音響機器と移動通信端末機を接続して制御するサウンド信号制御装置であって、一端が移動通信端末機のサウンド信号入力端に接続され、他の一端は接地に接続されており、音声をサウンド信号に変換して前記移動通信端末機のサウンド信号入力端に出力するマイク部と、一端が移動通信端末機のサウンド信号入力端に接続され、他の一端は接地に接続されており、前記移動通信端末機の動作状態を通話モード又は通話待機モードにスイチングする通話モード切替スイッチと、前記移動通信端末機のサウンド信号出力端から入力されるサウンド信号を前記音響機器の混合部、或いは秘密通話出力部にスイチングする秘密通話スイッチを含んで構成される。
【００１４】
　本発明によれば、複数個の音響機器から出力されるサウンド信号を混合して同時に出力されるようにすることで、相対的に微弱な信号が殆ど聞こえなくなるミュート現象が生じて、信号レベルが高いサウンド信号だけ聞こえるようにすることができるサウンド信号制御装置が提供される。また、本発明によれば、複数個の音響機器から出力されるサウンド信号を多重又は選択的に出力することができるようにするサウンド信号制御装置が提供される。
【発明の効果】
【００１５】
　本発明によれば、複数個の音響機器から出力されるサウンド信号を混合して同時に出力されるようにすることで、相対的に微弱な信号が殆ど聞こえなくなるミュート現象が生じて、信号レベルが高いサウンド信号だけ聞こえるようにでき、複数個の音響機器から出力されるサウンド信号を多重又は選択的に出力することができる効果がある。
【００１６】
また、本発明によれば、外部音響機器が移動通信端末機である場合、移動通信端末機が受信した弱い信号を増幅した後に出力するので、電波が弱い通話不良の地域でも正常な通話が可能になる。
【００１７】
　また、高速走行の時に生じる既存ハンズフリーフォン装置の通話中断絶、ハウリング、エコー現象を減少させることにより運転手が運転だけに専念することができることから、事故の発生が防止される効果がある。
【発明を実施するための最良の形態】
【００１８】
　以下、添付された図面を参照して本発明の望ましい実施例を詳しく説明する。 
【００１９】
　図2は本発明による多重選択機能を有する音響装置の構成を示すブロック図である。
【００２０】
　図2に示したように、多重選択機能を有する音響装置は、オーディオ信号発生部(210)、混合部(220)、オーディオ増幅部(230)、一般にスピーカーに該当する出力部(240)、サウンド信号制御部(250-2)、サウンド信号入力端(265-1)及びサウンド信号出力端(265-2)を有する外部音響機器に該当する移動通信端末機(260)を含んで構成される。
【００２１】
　オーディオ信号発生部(210)は、アンテナを通してラジオ信号を受信してオーディオ信号を生成するラジオ受信部(210-1)、及びCD、テープ、 DVD等のようにサウンドが記録された媒体を再生してオーディオ信号を発生するメディア再生部(210-2)より構成される。
【００２２】
　混合部(220)は、オーディオ信号発生部(210)から入力されるオーディオ信号と、サウンド信号制御部(250-2)から入力されるサウンド信号を混合してオーディオ増幅部(230)に入力する。 
【００２３】
　オーディオ増幅部(230)は、混合部(220)から入力される混合サウンド信号を増幅して、一般にスピーカーに該当する出力部(240)を通して出力する。
【００２４】
　サウンド信号制御部(250-2)は、後述するマイクによって音声をサウンド信号に変換して移動通信端末機(260)のサウンド信号入力端(265-1)に出力し、移動通信端末機(260)のサウンド信号出力端(265-2)から出力されるサウンド信号を混合部(220)、或いは後述する秘密通話出力部に経路制御を行う。 
【００２５】
　以下、図2を参照して本発明による多重選択機能を有する音響装置の動作を詳しく説明する。
【００２６】
　使用者が、掛かって来た電話に出るために後述する通話モード切替スイッチをスイチングして、移動通信端末機(260)の動作状態を通話モードにすると、混合部(220)はオーディオ信号発生部(210)から入力されるオーディオ信号と、移動通信端末機(260)で一度増幅がなされた後にサウンド信号出力端(265-2)から入力されるサウンド信号を混合する。混合部(220)で混合された混合サウンド信号はオーディオ増幅部(230-2)に入力される。
【００２７】
　ここで、オーディオ信号の直流成分とサウンド信号の直流成分は、殆ど同じ電力レベルを有するが、オーディオ信号の交流成分はサウンド信号の交流成分に比べて５〜１０倍低い電力レベルを有する。 
【００２８】
　そして、混合部(220)によって混合されてオーディオ増幅部(230)に入力される混合サウンド信号は、混合サウンド信号の電力レベルに合う増幅率に調整されたオーディオ増幅部(230)によって増幅される。
【００２９】
　従って、オーディオ信号発生部(210)から出力される電力レベルが低いオーディオ信号は、オーディオ増幅部(230)によって増幅されても相変わらず電力レベルが低いので、出力部(240)を通して出力されてもミュート現象が生じたように使用者に殆ど聞こえなくなる。また、移動通信端末機(260)のサウンド信号出力端(265-2)から出力される電力レベルが高いサウンド信号は、オーディオ増幅部(230)によって増幅されるとより電力レベルが高くなるので、出力部(240)を通して出力されると一般的なオーディオ聴取のように使用者に聞こえるようになる。
【００３０】
　このような現象が生じるのは、オーディオ装置においては一般的にボリューム調整部及び増幅制御部によってオーディオ増幅部の出力電力の大きさが制御されるからである。即ち、増幅制御部はオーディオ増幅部に入力される信号の電力レベルを検出し、その信号の電力レベルがボリューム調整部によって予め設定された電力レベルと差がある場合にはオーディオ増幅部の増幅率を調整するからである。
【００３１】
　図3は本発明の第1実施例によるサウンド信号制御部の構成を示すブロック図である。
【００３２】
　図3に示したように、サウンド信号制御部(250-3)は、マイク部(251)、通話モード切替スイッチ(253)、秘密通話スイッチ(257)、及び秘密通話出力部(255)を含んで構成される。
【００３３】
　マイク部(251)は、一端が移動通信端末機(260)のサウンド信号入力端(265-1)に接続され、他の一端は接地(GND)に接続されている。マイク部(251)は使用者の音声をサウンド信号に変換して移動通信端末機(260)のサウンド信号入力端(265-1)に出力する。 
【００３４】
　通話モード切替スイッチ(253)は、一端が移動通信端末機(260)のサウンド信号入力端(265-1)に接続され、他の一端は接地(GND)に接続されている。通話モード切替スイッチ(253)は使用者のスイチングによって移動通信端末機(260)の動作状態を通話モード又は通話待機モードにスイチングする。
【００３５】
　この時、通話モード切替スイッチ(253)のスイチングによる信号に基づいて移動通信端末機(260)内のマイクロプロセス(図示せず)が移動通信端末機(260)の動作状態を通話モード又は通話待機モードにスイチングする。また、移動通信端末機(260)の動作状態が通話待機モードである状態で、移動通信端末機(260)の使用者が通話モード切替スイッチ(253)をスイチングして、移動通信端末機(260)内のマイクロプロセスに予め設定された回数にスイチング信号を移動通信端末機(260)内のマイクロプロセスに予め設定されている所定の時間内に連続的に移動通信端末機(260)に入力することで、移動通信端末機(260)の動作状態を通話待機モードから再発信モードにスイチングすることができる。
【００３６】
　ここで、通話モード切替スイッチ(253)は、スイチングする瞬間にだけスイッチの瞬間的な接触がなされた後、自動的にその接触が解除されるタクトスイッチである。
【００３７】
　秘密通話スイッチ(257)は、移動通信端末機(260)のサウンド信号出力端(265-2)に接続され、移動通信端末機(260)のサウンド信号出力端(265-2)から出力されるサウンド信号を混合部(220)又は秘密通話出力部(255)にスイチングして経路制御を行う。即ち、移動通信端末機(260)の使用者が秘密通話スイッチ(257)のスイチングによって秘密通話をする場合、移動通信端末機(260)の使用者がサウンド信号出力端(265-2)から出力されるサウンド信号を秘密通話出力部(255)を通してイヤホン、ヘッドフォン等によって聞くことによって、他人が聞くことができなくなる。
【００３８】
　そして、移動通信端末機(260)の使用者が秘密通話スイッチ(257)のスイチングによって秘密通話をしない場合、移動通信端末機(260)の使用者がサウンド信号出力端(265-2)から出力されるサウンド信号をスピーカーに該当する出力部(240)を通して聞くことで、他人も聞くことができるようになる。
【００３９】
　図4は本発明の第2実施例によるサウンド信号制御部の構成を示すブロック図である。
【００４０】
　図4に示したように、第2実施例によるサウンド信号制御部(250-4)は第1実施例のサウンド信号制御部(250-3)と比較すると多重選択スイッチ(258)がさらに備えられている。従って、第1実施例と等しい部分に対しては説明を省略し、多重選択スイッチ(258)と、左側混合部(220-1)及び右側混合部(220-2)と係わることについてのみ説明する。
【００４１】
　多重選択スイッチ(258)は、一端が秘密通話スイッチに接続され、残り他端は左側混合部(220-1)及び右側混合部(220-2)に接続されている。多重選択スイッチ(258)は移動通信端末機(260)のサウンド信号出力端(260-2)から入力されるサウンド信号を左側混合部(220-1)及び右側混合部(220-2)の中で少なくとも何れかの一つにスイチングする。即ち、多重選択スイッチ(258)のスイチングによって、サウンド信号出力端(260-2)から出力されるサウンド信号は、左側混合部(220-1)又は右側混合部(220-2)に入力されることが可能であり、また左側混合部(220-1)及び右側混合部(220-2)の両方に入力されることが可能である。
【００４２】
　ここで、多重選択スイッチ(258)と秘密通話スイッチ(257)は、後述する図6に示す秘密通話及び多重選択スイッチ(257-8)のように当業者には自明な単純な設計変更で一つのスイッチに統合されることができる。これは、スイッチが秘密通話にスイチングされる場合には、移動通信端末機(260)のサウンド信号出力端(260-2)から出力されるサウンド信号を秘密通話出力部(255)を通して出力することでスイッチが秘密通話スイッチとして使われるようにし、スイッチが秘密通話にスイチングされない場合には、移動通信端末機(260)のサウンド信号出力端(260-2)から出力されるサウンド信号を左側混合部(220-1)及び右側混合部(220-2)の中で少なくとも何れかの一つにスイチングされるようにしてスイッチが多重選択スイッチとして使われるようにすることでなされる。
【００４３】
　第2実施例によれば、移動通信端末機(260)のサウンド信号出力端(260-2)から出力されるサウンド信号を左側混合部(220-1)及び右側混合部(220-2)の中で少なくとも何れかの一つにスイチングすることができる。
【００４４】
　従って、多重選択スイッチ(258)によって、サウンド信号出力端(260-2)から出力されるサウンド信号を左側(L)混合部(220-1)/右側(R)混合部(220-2)にスイチングすることで、移動通信端末機(260)のサウンド信号出力端(260-2)から出力されるサウンド信号を、左側混合部(220-1)/右側混合部(220-2)を介して左側(L)オーディオ増幅部(230-1)/右側(R)オーディオ増幅部(230-2)によって増幅して左側(L)出力部(240-1)/右側(R)出力部(240-2)を通して聞きながら、オーディオ信号発生部(210)から出力される右側(R)オーディオ信号/左側(L)オーディオ信号を右側混合部(220-2)/左側混合部(220-1)を介して右側オーディオ増幅部(230-2)/左側オーディオ増幅部(230-1)によって増幅して右側出力部(240-2)/左側出力部(240-1)を通して聞くことができる。
【００４５】
　また、多重選択スイッチ(258)によってサウンド信号出力端(260-2)から出力されるサウンド信号を左側混合部(220-1)及び右側混合部(220-2)の両方にスイチングすることで、移動通信端末機(260)のサウンド信号出力端(260-2)から出力されるサウンド信号を左側混合部(220-1)及び右側混合部(220-2)を介して左側オーディオ増幅部(230-1)及び右側オーディオ増幅部(230-2)によって増幅して左側出力部(240-1)及び右側出力部(240)の両方を通して聞きながら、オーディオ信号発生部(210)から出力される左側(L)オーディオ信号及び右側(R)オーディオ信号はミュートさせて聞かないことができる。
【００４６】
　これは第2図で説明したように、信号の電力レベルが低いオーディオ信号と信号の電力レベルが高いサウンド信号が混合された混合サウンド信号は、混合サウンド信号の電力レベルに従って増幅率が調整されたオーディオ増幅部によって増幅され、信号の電力レベルが低いオーディオ信号は殆ど聞こえなくなるミュート現象が生じるためである。
【００４７】
　図5は本発明の第3実施例によるサウンド信号制御部の構成を示すブロック図である。
【００４８】
　図5に示したように、第3実施例によるサウンド信号制御部(250-5)は第2実施例のサウンド信号制御部(250-4)に比べてハンズフリーフォン及びサウンドリンカー選択スイッチが(259)がさらに備えられている。従って、第1実施例及び第2実施例と同じ部分に対しては説明を省略し、ハンズフリーフォン及びサウンドリンカー選択スイッチ(259)についてのみ説明する。以下に図面の符号を付していない部分は図4を参照すれば容易に理解できよう
　ハンズフリーフォン及びサウンドリンカー選択スイッチ(259)は、一端が移動通信端末機(260)のサウンド信号入力端(260-1)に接続され、マイク部(251)と通話モード切替スイッチ(253)を並列接続する接地ノードの反対ノード、又は左側混合部(220-1)に選択的に接続されるようにするスイッチである。
【００４９】
　ここで、左側混合部(220-1)を右側混合部(220-2)に変更することは、左側混合部(220-1)と右側混合部(220-2)の役割を変えれば良いことであるため、当業者において当たり前の設計変更に過ぎないことである。そのため、本実施例ではハンズフリーフォン及びサウンドリンカー選択スイッチ(259)は左側混合部(220-1)に接続されるようにスイチングされることとする。
【００５０】
　まず、マイク部(251)と通話モード切替スイッチ(253)を並列接続する接地ノードの反対ノードにハンズフリーフォン及びサウンドリンカー選択スイッチ(259)が接続される場合、全体的に外部音響機器を移動通信端末機として想定した図4の第3実施例で説明したことと同じである。
【００５１】
　ハンズフリーフォンとサウンドリンカー選択スイッチ２５９は設置ノードの反対のノードに接続され、
　そして、ハンズフリーフォン及びサウンドリンカー選択スイッチ(259)が左側混合部(220-1)に接続される場合、一般に外部音響機器を移動通信端末機としては想定せず、外部オーディオ機器としてMP3、DVD等の使用として想定している。即ち、これは、移動通信端末機はサウンド信号入力端及びサウンド信号出力端を有するが、外部オーディオ機器はサウンド信号出力端が左、右側端に仕分けされているので、移動通信端末機のサウンド信号入力端で使われた一端を外部オーディオ機器のサウンド信号出力端の左側端で使うためのことである。外部オーディオ機器としてMP3を想定して説明すると、MP3の右側サウンド信号出力端から出力されたサウンド信号は、図4の第3実施例と同様に、オーディオ信号発生部から入力されるオーディオ信号と、多重選択スイッチのスイチングによって左側混合部(220-1)又は/及び右側混合部(220-2)で混合される。そして、MP3の左側サウンド信号出力端から出力されたサウンド信号は、左側混合部(220-1)に直接的に入力されてオーディオ信号発生部から入力されるオーディオ信号と混合される。
【００５２】
　従って、ハンズフリーフォン及びサウンドリンカー選択スイッチ(259)は移動通信端末機及び外部オーディオ機器を兼用で適用するようにする。
【００５３】
　ここで、多重選択スイッチ(258)と秘密通話スイッチ(257)は後述する図6に示す秘密通話及び多重選択スイッチ(257-8)のように当業者には自明な単純な設計変更で一つのスイッチに統合されることが可能である。これは、スイッチが秘密通話にスイチングされる場合には、移動通信端末機(260)のサウンド信号出力端(260-2)から出力されるサウンド信号を秘密通話出力部(255)を通して出力することでスイッチが秘密通話スイッチとして使われるようにし、スイッチが秘密通話にスイチングされない場合には、移動通信端末機(260)のサウンド信号出力端(260-2)から出力されるサウンド信号を左側混合部(220-1)及び右側混合部(220-2)の中で少なくとも何れかの一つにスイチングされるようにしてスイッチが多重選択スイッチとして使われるようにすることでなされる。
【００５４】
　図6は図5のサウンド信号制御部の一例の構成を示す回路図である。
【００５５】
　図6に示したように、通話モード切替スイッチ(253)はマイク部(251)に並列接続され、その一端が接地ノードに接続され、他の一端が接地ノードの反対ノードに接続されている。
【００５６】
　マイク部(251)は、移動通信端末機(260)のサウンド信号入力端(265-1)に可変抵抗(251-1)の一端が接続され、可変抵抗(251-1)の他の一端にダイオード(251-3)の一端が直列接続され、ダイオード(251-3)の他の一端にマイク(251-5)の一端が直列接続され、マイク(251-5)の他の一端が接地ノードに接続されて構成される。マイク部(251)のマイク(251-5)は音声をサウンド信号に変換して移動通信端末機(260)のサウンド信号入力端(265-1)に入力する。ここで、ダイオード(251-3)の方向に変化を加えないで可変抵抗(251-1)とダイオード(251-3)の位置を変えることができることは当業者に自明である。
【００５７】
　可変抵抗(251-1)はマイク(251-5)からの出力調節用抵抗であり、マイク(251-5)からの出力を調節する機能を行う。抵抗Rの値が大きい場合には、マイク(251-5)からの出力が減少されて相手の通話者は信号の電力レベルが低い音で送信者の音声を受信するようになり、抵抗Rの値が小さい場合には、相手の通話者は電力レベルが大きい音で送信者の音声を受信するようになる。しかし、抵抗Rの値が小さくなるとエコー及びハウリングが生じるので、抵抗Rは適正な値とする必要がある。 
【００５８】
　ダイオード(251-3)は、移動通信端末機のサウンド信号出力端から出力されるサウンド信号と、マイク(270)を通して使用者の音声信号を両方向に送受信することにおいて、ハウリング、エコー現象の発生を防止する機能を行う。ここで、ダイオード(251-3)を逆方向に構成すると送信信号が遮断されるので相手の通話者は受信者の音声を受信することができなくなる。 
【００５９】
　前述の多重選択スイッチと秘密通話スイッチは図６に示す秘密通話及び多重選択スイッチ(257-8)のように当業者には自明な単純な設計変更で一つのスイッチに統合されることができる。これは秘密通話及び多重選択スイッチ(257-8)が秘密通話にスイチングされる場合には、移動通信端末機(260)のサウンド信号出力端(260-2)から出力されるサウンド信号を秘密通話出力部(255)を通して出力することで秘密通話及び多重選択スイッチ(257-8)が秘密通話スイッチとして使われるようにし、秘密通話及び多重選択スイッチ(257-8)が秘密通話にスイチングされない場合には、移動通信端末機(260)のサウンド信号出力端(260-2)から出力されるサウンド信号を左側混合部(220-1)及び右側混合部(220-2)の中で少なくとも何れかの一つにスイチングされるようにして秘密通話及び多重選択スイッチ(257-8)が多重選択スイッチとして使われるようにすることでなされる。 
【００６０】
　以下、図6を参照して上述したサウンド信号制御部(250-5)の動作を回路的にさらに詳しく説明する。下記で図面の符号が省略された部分は図4を参照すれば容易に理解することができる。 
【００６１】
　まず、ハンズフリーフォン及びサウンドリンカー選択スイッチ(259)をマイク部(251)と通話モード切替スイッチ(253)を並列接続する接地ノードの反対ノードである位置1にスイチングする場合に対して説明する。これは外部音響機器を移動通信端末機として想定したものである。
【００６２】
　マイク部(251)は移動通信端末機(260)のサウンド信号入力端(265-1)に接続される。使用者の音声がマイク部(251)を通して入力されると使用者の音声はマイク部(251)でサウンド信号に変換されて移動通信端末機(260)のサウンド信号入力端(265-1)に入力される。 
【００６３】
　秘密通話及び多重選択スイッチ(257-8)が位置2/位置1にスイチングされる場合、移動通信端末機(260)のサウンド信号出力端(265-1)から出力された左側(L)サウド信号/右側(R)サウンド信号とオーディオ信号発生部(210)から入力される左側(L)オーディオ信号/右側(R)オーディオ信号は、左側(L)混合部/右側(R)混合部で混合され、左側(L)オーディオ増幅部/右側(R)オーディオ増幅部によって増幅され、左側(L)出力部/右側(R)出力部を通して出力される。
【００６４】
　従って、左側(L)オーディオ信号/右側(R)オーディオ信号は、左側(L)サウンド信号/右側(R)サウンド信号に比べて信号の電力レベルが相対的に低いので、左側(L)オーディオ増幅部/右側(R)オーディオ増幅部によって増幅されてスピーカーである左側(L)出力部/右側(R)出力部を通して出力されても使用者に殆ど聞こえなくなるミュート現象が生じる。
【００６５】
　また、右側(R)オーディオ信号/左側(L)オーディオ信号は、右側(R)オーディオ増幅部/左側(L)オーディオ増幅部によって増幅されてスピーカーである右側(R)出力部/左側(L)出力部を通して出力されと一般的なオーディオ聴取のように使用者に聞こえるようになる。その結果、一つの出力部を通してオーディオ信号、他の一つの出力部を通してサウンド信号を聞くことができる。
【００６６】
　秘密通話及び多重選択スイッチ(257-8)が位置3にスイチングされる場合、移動通信端末機(260)のサウンド信号出力端(265-1)から出力された左、右側(L、R)サウンド信号は、オーディオ信号発生部(210)から入力される左、右側(L、R)オーディオ信号と左、右側(L、R)混合部で混合され、左、右側(L、R)オーディオ増幅部によって増幅されて左、右側(L、R)出力部を通して出力される。よって、左、右側オーディオ信号は、左、右側サウンド信号に比べて電力レベルが相対的に低いので、左、右側オーディオ増幅部を経ってスピーカーである左、右側出力部を通して出力されても殆ど聞こえなくなるミュート現象が生じて、左、右側(L、R)サウンド信号だけ聞こえることになる。
【００６７】
　秘密通話及び多重選択スイッチ(257-8)が位置4にスイチングされる場合、移動通信端末機(260)のサウンド信号出力端(265-1)から出力されたサウンド信号は、秘密通話出力部(255)を通して出力されるので、イヤホン、ヘッドフォン等で聞くことできる。
【００６８】
　通話モード切替スイッチ(253)は、一端が移動通信端末機(260)のサウンド信号入力端(265-1)に接続され、他の一端は接地(GND)に接続されている。使用者が通話モード切替スイッチ(253)をスイチングする瞬間に接触がなされると、移動通信端末機(260)と通話モード切替スイッチ(253)を接続する閉ループが形成されて電流が移動通信端末機(260)に流入される。移動通信端末機(260)内のマイクロプロセス(図示せず)は、この電流を制御信号で感知して移動通信端末機(260)の動作状態をスイチングする。即ち、通話待機モードで通話モード切替スイッチ(253)がスイチングされると通話モードにスイチングされ、通話モードで通話モード切替スイッチ(253)がスイチングされると通話待機モードにスイチングされる。
【００６９】
　また、移動通信端末機(260)の動作状態が通話待機モードである状態で、移動通信端末機(260)の使用者が通話モード切替スイッチ(253)をスイチングして、移動通信端末機(260)内のマイクロプロセスに予め設定された回数にスイチング信号を移動通信端末機(260)内のマイクロプロセスに予め設定されている所定の時間内に連続的に移動通信端末機(260)に入力することで、移動通信端末機(260)の動作状態を通話待機モードから再発信モードにスイチングすることができる。
【００７０】
　ここで、通話モード切替スイッチ(253)は、普段にはオフ状態にあるがスイチングする瞬間だけスイッチの接触がなされ、自動的にその接触が解除されるタクトスイッチである。
【００７１】
　そして、ハンズフリーフォン及びサウンドリンカー選択スイッチ(259)を位置2にスイチングする場合、一般に外部音響機器を移動通信端末機としては想定せず、外部オーディオ機器としてMP3、DVD等の使用として想定している。即ち、これは、移動通信端末機はサウンド信号入力端及びサウンド信号出力端を有するが、外部オーディオ機器はサウンド信号出力端が左、右側端に仕分けされているので、移動通信端末機のサウンド信号入力端で使われた一端を外部オーディオ機器のサウンド信号出力端の左側端で使うためのものである。外部オーディオ機器としてMP3を想定して説明すると、MP3の右側サウンド信号出力端から出力されたサウンド信号は、図4の第3実施例と同様に、オーディオ信号発生部から入力されるオーディオ信号と、多重選択スイッチのスイチングによって左側混合部(220-1)又は/及び右側混合部(220-2)で混合される。そして、MP3の左側サウンド信号出力端から出力されたサウンド信号は、左側混合部(220-1)に直接的に入力されてオーディオ信号発生部から入力されるオーディオ信号と混合される。
【００７２】
　従って、ハンズフリーフォン及びサウンドリンカー選択スイッチ(259)は移動通信端末機及び外部オーディオ機器を兼用で適用するようにする。
【００７３】
　本発明によれば、多重選択機能を有する音響装置は車用オーディオ装置と移動通信端末機を接続するサウンド信号制御部の構成だけで、即ち、既存のハンズフリーフォン装置とサウンドリンカー装置に構成される多くの回路部品を使わなくても既存のハンズフリーフォン装置の機能はもちろん多くの附加機能を遂行することが可能になる。
【００７４】
　本発明は前記に示した望ましい実施例に対して説明したが、発明の要旨と請求範囲から逸脱しなく多様な修正や変形を加えることが可能である。従って、特許請求の範囲は本発明の要旨に属するこのような修正や変形を含むことは自明である。
【図面の簡単な説明】
【００７５】
【図１】従来の車用オーディオ装置を利用したハンズフリーフォン装置の概略的な構成を示すブロック図である。
【図２】本発明による多重選択機能を有する音響装置の構成を示すブロック図である。
【図３】本発明の第1実施例によるサウンド信号制御部の構成を示すブロック図である。
【図４】本発明の第2実施例によるサウンド信号制御部の構成を示すブロック図である。
【図５】本発明の第3実施例によるサウンド信号制御部の構成を示すブロック図である。
【図６】図5のサウンド信号制御部の一例の構成を示す回路図である。
【符号の説明】
【００７６】
210　オーディオ信号発生部   
210-1  ラジオ受信部
210-2　メディア再生部 
220    混合部                 
230　オーディオ増幅部
240    出力部
250-2、250-3、250-4、250-5　サウンド信号制御部
251    マイク部
253　通話モード切替スイッチ 
254　秘密通話出力部
257　秘密通話スイッチ 
258　多重選択スイッチ
259　ハンズフリーフォン及びサウンドリンカー選択スイッチ
【図１】
2004104806.tif 000003
【図２】
2004104806.tif 000004
【図３】
2004104806.tif 000005
【図４】
2004104806.tif 000006
【図５】
2004104806.tif 000007
【図６】
2004104806.tif 000008